(57)【要約】  本開示の実施形態は、チャネル状態情報（ＣＳＩ）送信に用いられる方法及びデバイスに関する。例示的実施形態において、端末機器で実現される方法は、異なる空間方向を有するビームセットについて、所定の周波数範囲にわたって端末機器とネットワーク機器との間のチャネル推定を実行することと、チャネル推定に基づき、第１指示情報及び第２指示情報を決定することと、チャネル状態情報（ＣＳＩ）レポートの第１部分における第１指示情報をネットワーク機器に送信し、ＣＳＩレポートの第２部分における第２指示情報をネットワーク機器に送信することと、を含む。第１指示情報はビームセットから選択された少なくとも１つのビームを示し、第２指示情報は所定の周波数範囲内の複数の周波数位置での選択された少なくとも１つのビームについての周波数関連情報を示す。【選択図】図８
2021535637.tif 000002
【特許請求の範囲】
【請求項１】
異なる空間方向を有するビームセットについて、所定の周波数範囲にわたって端末機器とネットワーク機器との間のチャネル推定を実行することと、
前記チャネル推定に基づき、第１指示情報及び第２指示情報を決定することと、
チャネル状態情報（ＣＳＩ）レポートの第１部分における前記第１指示情報を前記ネットワーク機器に送信し、前記ＣＳＩレポートの第２部分における前記第２指示情報を前記ネットワーク機器に送信することと
を備え、
前記第１指示情報は、前記ビームセットから選択された少なくとも１つのビームを示し、前記第２指示情報は、前記所定の周波数範囲内の複数の周波数位置での前記選択された少なくとも１つのビームについての周波数関連情報を示す、端末機器で実現される方法。
【請求項２】
前記第２指示情報を決定することは、
前記所定の周波数範囲にわたって適用される、前記選択された少なくとも１つのビームと関連する時間領域における少なくとも１つの遅延値を、前記第２指示情報として決定することを備え、
選択された各ビームについての前記周波数関連情報は、前記関連する遅延値と、前記複数の周波数位置の所定のインデックスとの組合せにより示される、請求項１に記載の方法。
【請求項３】
前記複数の周波数位置は前記ネットワーク機器により設定される、請求項１に記載の方法。
【請求項４】
前記方法はさらに、
前記チャネル推定に基づき、第３指示情報及び第４指示情報を決定することと、
前記ＣＳＩレポートの前記第２部分におおける前記第３指示情報及び前記第４指示情報を前記ネットワーク機器に送信することと
を備え、
前記第３指示情報は、前記所定の周波数範囲にわたって適用される、前記選択された少なくとも１つのビームについての時間領域におけるそれぞれのゲインを示し、
前記第４指示情報は、前記所定の周波数範囲にわたって適用される、前記選択された少なくとも１つのビームについての時間領域におけるそれぞれの共位相シフトを示す、請求項１に記載の方法。
【請求項５】
前記第１指示情報は前記ビームセットから選択されたビームサブセットを示し、前記ビームサブセットは２つ以上のビームを備え、前記方法はさらに、
前記チャネル推定に基づき、第５指示情報を決定することと、
前記ＣＳＩレポートの前記第２部分における前記第５指示情報を前記ネットワーク機器に送信することと
を備え、
前記第５指示情報は、前記複数の周波数位置のサブセットでの前記ビームサブセットにおける少なくとも１つのビームのゲインを示し、前記少なくとも１つのビームは、前記ビームサブセットにおける他のビームより強い、請求項１に記載の方法。
【請求項６】
前記方法はさらに、
前記チャネル推定に基づき、第６指示情報を決定することと、
前記ＣＳＩレポートの前記第２部分における前記第６指示情報を前記ネットワーク機器に送信することと
を備え、
前記第６指示情報は、前記少なくとも１つの周波数位置での前記ビームサブセットにおける前記少なくとも１つのビームのそれぞれの共位相シフトを示す、請求項５に記載の方法。
【請求項７】
前記ＣＳＩレポートの前記第１部分はさらに別の指示情報を備え、
前記別の指示情報は、前記周波数範囲と対応するチャネル品質指標（ＣＱＩ）、又は前記複数の周波数位置と対応するそれぞれのＣＱＩを示す、請求項１に記載の方法。
【請求項８】
前記送信は、前記少なくとも１つの遅延値の各遅延値について、
前記遅延値の大きさに基づき、前記遅延値の量子化のためのビットの第１の数を決定することと、
前記遅延値を前記第１の数のビットに量子化することと、
前記第１の数のビットを前記ネットワーク機器に送信することと
を備え、
前記第１の数は、より小さい大きさを有する別の遅延値について決定されたビットの数より大きい、請求項２に記載の方法。
【請求項９】
前記送信は、前記少なくとも１つのビームの各ビームについて、
前記選択された少なくとも１つのビームのゲインに基づき、前記遅延値の量子化のためのビットの第２の数を決定することと、
前記遅延値を前記第２の数のビットに量子化することと、
前記第２の数のビットを前記ネットワーク機器に送信することと
を備え、
前記第２の数は、より高いゲインを有する別のビームと対応する別の遅延値について決定されたビットの数より大きい、請求項２に記載の方法。
【請求項１０】
ビットの前記第２の数を決定することは、
前記遅延値を１つの循環シフト値でシフトさせて前記遅延値を修正することにより、前記遅延値の循環シフトバージョンを取得することと、
前記遅延値の前記循環シフトバージョンの前記ゲインに基づき、ビットの前記第２の数を決定することと
を備え、
前記遅延値を量子化することは、前記遅延値の前記循環シフトバージョンを量子化することを備える、請求項９に記載の方法。
【請求項１１】
前記所定の周波数範囲はシステム帯域幅を有する、請求項１に記載の方法。
【請求項１２】
前記第１部分が送信された後に、前記第２部分は前記ネットワーク機器に送信される、請求項１に記載の方法。
【請求項１３】
異なる空間方向を有するビームセットについて、所定の周波数範囲にわたって端末機器とネットワーク機器との間のチャネル推定を実行することと、
前記チャネル推定に基づき指示情報を決定することと、
チャネル状態情報（ＣＳＩ）レポートの第１部分における前記指示情報を前記ネットワーク機器に送信することと
を備え、
前記指示情報は、前記所定の周波数範囲内の複数の周波数位置について、複数のビームの中から選択された少なくとも１つのビームを示す、端末機器で実現される方法。
【請求項１４】
前記指示情報は、前記ＣＳＩについて設定されるコードブックにおけるコードワードを定義するためのインデックスを備える、請求項１３に記載の方法。
【請求項１５】
前記方法はさらに、
前記チャネル推定に基づき、別の指示情報を決定することと、
前記ＣＳＩレポートの第２部分における前記指示情報を前記ネットワーク機器に送信することと
を備え、
前記別の指示情報は、前記所定の周波数範囲にわたって適用される前記選択された少なくとも１つのビームについての時間領域におけるそれぞれのゲイン、及び、前記所定の周波数範囲にわたって適用される前記選択された少なくとも１つのビームについての時間領域におけるそれぞれの共位相シフトのうちの少なくとも１つを示し、
前記第１部分が送信された後に、前記第２部分は前記ネットワーク機器に送信される、請求項１３に記載の方法。
【請求項１６】
端末機器から、チャネル推定により決定されたチャネル状態情報（ＣＳＩ）レポートを受信することと、
第１指示情報及び第２指示情報に基づきＣＳＩを作成して、前記端末機器との送信を制御することと
を備え、
前記ＣＳＩレポートの第１部分は、ビームセットのうちの少なくとも１つのビームを示す前記第１指示情報を少なくとも備え、
前記ＣＳＩレポートの第２部分は、前記第２指示情報を少なくとも備え、前記第２指示情報は、所定の周波数範囲内の、選択された前記少なくとも１つのビームについての複数の周波数位置を示す、ネットワーク機器で実現される方法。
【請求項１７】
前記第２指示情報は、時間領域における少なくとも１つの遅延値を前記第２指示情報として備え、
前記少なくとも１つの遅延値は、前記所定の周波数範囲にわたって適用され、且つ前記選択された少なくとも１つのビームと関連し、
前記ＣＳＩを作成することは、
前記関連する遅延値と、前記複数の周波数位置の所定のインデックスとの組合せにより、選択された各ビームについての前記周波数関連情報を決定することを備える、請求項１６に記載の方法。
【請求項１８】
前記複数の周波数位置は前記ネットワーク機器により設定される、請求項１６に記載の方法。
【請求項１９】
前記ＣＳＩレポートの前記第２部分は、第３指示情報及び第４指示情報を備え、
前記第３指示情報は、前記所定の周波数範囲にわたって適用される、前記選択された少なくとも１つのビームについての時間領域におけるそれぞれのゲインを示し、
前記第４指示情報は、前記所定の周波数範囲にわたって適用される、前記選択された少なくとも１つのビームについての時間領域におけるそれぞれの共位相シフトを示し、前記方法はさらに、
前記第２指示情報、前記第３指示情報及び前記第４指示情報について重み付けを行うことにより、前記複数の周波数位置での前記選択された少なくとも１つのビームについてのそれぞれのゲインを決定することを備える、請求項１６に記載の方法。
【請求項２０】
前記第１指示情報は前記ビームセットから選択されたビームサブセットを示し、前記ビームサブセットは２つ以上のビームを備え、前記ＣＳＩレポートの前記第２部分は第５指示情報をさらに備え、前記第５指示情報は、前記複数の周波数位置のサブセットでの前記ビームサブセットにおける少なくとも１つのビームのゲインを示し、前記少なくとも１つのビームは、前記ビームサブセットにおける他のビームより強い、請求項１６に記載の方法。
【請求項２１】
前記ＣＳＩレポートの前記第２部分は第６指示情報をさらに備え、
前記第６指示情報は、前記少なくとも１つの周波数位置での前記ビームサブセットにおける前記少なくとも１つのビームのそれぞれの共位相シフトを示す、請求項２０に記載の方法。
【請求項２２】
前記ＣＳＩレポートの前記第１部分はさらに別の指示情報を備え、
前記別の指示情報は、前記周波数範囲と対応するチャネル品質指標（ＣＱＩ）、又は前記複数の周波数位置と対応するそれぞれのＣＱＩを示す、請求項１６に記載の方法。
【請求項２３】
前記ＣＳＩを作成することは、
前記第１指示情報及び前記第２指示情報に基づき、前記ＣＳＩについて設定されたコードブックからコードワードを決定することを含む、請求項１６に記載の方法。
【請求項２４】
前記第１部分が受信された後に、前記第２部分は前記ネットワーク機器によって受信される、請求項１６に記載の方法。
【請求項２５】
端末機器から、チャネル推定により決定されたチャネル状態情報（ＣＳＩ）レポートを受信することと、
第１指示情報及び第２指示情報に基づきＣＳＩを作成して、前記端末機器との送信を制御することと
を備え、
前記ＣＳＩレポートの第１部分は少なくとも指示情報を備え、前記指示情報は、所定の周波数範囲内の複数の周波数位置について複数のビームから選択された少なくとも１つのビームを示す、ネットワーク機器で実現される方法。
【請求項２６】
前記指示情報は、前記ＣＳＩについて設定されるコードブックにおけるコードワードを定義するためのインデックスを備える、請求項２５に記載の方法。
【請求項２７】
前記ＣＳＩレポートの第２部分は、別の指示情報を備え、
前記別の指示情報は、前記所定の周波数範囲にわたって適用される前記選択された少なくとも１つのビームについての時間領域におけるそれぞれのゲイン、及び、前記所定の周波数範囲にわたって適用される前記選択された少なくとも１つのビームについての時間領域におけるそれぞれの共位相シフトのうちの少なくとも１つを示し、
前記第１部分が受信された後に、前記第２部分は前記ネットワーク機器によって受信される、請求項２５に記載の方法。
【請求項２８】
プロセッサと、
前記処理ユニットに結合され指示が記憶されたメモリと
を備え、
前記指示が前記処理ユニットにより実行された場合、請求項１〜１２のいずれか１項に記載の方法又は請求項１３〜１５のいずれか１項に記載の方法を実行する、端末機器。
【請求項２９】
プロセッサと、
前記処理ユニットに結合され指示が記憶されたメモリと
を備え、
前記指示が前記処理ユニットにより実行された場合、請求項１６〜２４のいずれか１項に記載の方法又は請求項２５〜２７のいずれか１項に記載の方法を実行する、ネットワーク機器。
【請求項３０】
少なくとも１つのプロセッサで実行された場合、前記少なくとも１つのプロセッサに、請求項１〜１２のいずれか１項に記載の方法又は請求項１３〜１５のいずれか１項に記載の方法を実行させる指示が記憶された、コンピュータ可読媒体。
【請求項３１】
少なくとも１つのプロセッサで実行された場合、前記少なくとも１つのプロセッサに、請求項１６〜２４のいずれか１項に記載の方法又は請求項２５〜２７のいずれか１項に記載の方法を実行させる指示が記憶された、コンピュータ可読媒体。
【発明の詳細な説明】
【技術分野】
【０００１】
本開示の実施形態は全体として電気通信の分野に関し、特にチャネル状態情報（ＣＳＩ）送信に用いられる方法及びデバイスに関する。
【背景技術】
【０００２】
各種電気通信規格において、都市、国家、地域、グローバルレベルでさまざまな無線デバイスを通信可能にする公共プロトコルを提供するための通信技術が開発されている。新たな電気通信規格の例としてＮｅｗ  Ｒａｄｉｏ（ＮＲ）、例えば５Ｇ無線アクセスが挙げられる。
【０００３】
ＮＲは第３世代パートナーシッププロジェクト（３ＧＰＰ）が公表したＬＴＥモバイル規格の一連の拡張機能である。ＮＲは、モバイルブロードバンドのインターネットアクセスをより適切にサポートするために設計されており、こうしたサポートは、スペクトル効率の引き上げ、コスト削減、サービス改善、新たなスペクトルの利用、並びに、ダウンリンク（ＤＬ）及びアップリンク（ＵＬ）上でサイクリックプレフィックス（ＣＰ）を有するＯＦＤＭＡを用いる他のオープン規格とのより適切な統合によって行われる。ＮＲはまた、ビームフォーミング、Ｍｕｌｔｉｐｌｅ  Ｉｎｐｕｔ  Ｍｕｌｔｉｐｌｅ  Ｏｕｔｐｕｔ（ＭＩＭＯ）アンテナ技術及びキャリアアグリゲーションをサポートするように設計されている。
【０００４】
しかしながら、モバイルブロードバンドアクセスに対する要求が増え続けるにつれ、ＮＲ技術について、さらなる改良が求められている。こうした改良は、他のマルチアクセス技術及びこうした技術を採用する電気通信規格に適用される可能性がある。例えば、通信システムにおいて、受信を行う端末機器では通常、端末機器とネットワーク機器との間の通信チャネルのチャネル状態情報（ＣＳＩ）を推定し、ネットワーク機器にそれをフィードバックすることで、ネットワーク機器が、ＣＳＩに示された現在のチャネル状況に基づき送信を制御できるようにしている。ＮＲ技術によれば、ＣＳＩにおいて、ワイドバンド及びサブバンドのチャネル属性、並びに異なるビーム（ＭＩＭＯシステムにおける）のチャネル属性をレポートすることが提案されているが、これではＣＳＩ送信のオーバーヘッドが増加してしまう。
【発明の概要】
【発明が解決しようとする課題】
【０００５】
全体として、本開示の例示的実施形態は、チャネル状態情報（ＣＳＩ）送信に用いられる方法及びデバイスを提供する。
【課題を解決するための手段】
【０００６】
第１の態様において、端末機器で実現される方法が提供される。該方法は、異なる空間方向を有するビームセットについて、所定の周波数範囲にわたって、端末機器とネットワーク機器との間のチャネル推定を実行することと、チャネル推定に基づき、第１指示情報及び第２指示情報を決定することと、チャネル状態情報（ＣＳＩ）レポートの第１部分における前記第１指示情報を前記ネットワーク機器に送信し、前記ＣＳＩレポートの第２部分における前記第２指示情報を前記ネットワーク機器に送信することと、を備え、前記第１指示情報は、前記ビームセットから選択された少なくとも１つのビームを示し、前記第２指示情報は、前記所定の周波数範囲内の複数の周波数位置での前記選択された少なくとも１つのビームについての周波数関連情報を示す方法である。
【０００７】
第２の態様において、端末機器で実現される方法が提供される。前記方法は、異なる空間方向を有するビームセットについて、所定の周波数範囲にわたって端末機器とネットワーク機器との間のチャネル推定を実行することと、前記チャネル推定に基づき指示情報を決定することと、チャネル状態情報（ＣＳＩ）レポートの第１部分における前記指示情報を前記ネットワーク機器に送信することと、を備え、前記指示情報は、前記所定の周波数範囲内の複数の周波数位置について、複数のビームの中から選択された少なくとも１つのビームを示す方法である。
【０００８】
第３の態様において、ネットワーク機器で実現される方法が提供される。該方法は、端末機器から、チャネル推定により決定されたチャネル状態情報（ＣＳＩ）レポートを受信することと、第１指示情報及び第２指示情報に基づきＣＳＩを作成して、前記端末機器との送信を制御することと、を備え、前記ＣＳＩレポートの第１部分は、ビームセットのうちの少なくとも１つのビームを示す前記第１指示情報を少なくとも備え、前記ＣＳＩレポートの第２部分は、前記第２指示情報を少なくとも備え、前記第２指示情報は、所定の周波数範囲内の、前記選択された少なくとも１つのビームについての複数の周波数位置を示す方法である。
【０００９】
第４の態様において、ネットワーク機器で実現される方法が提供される。該方法は、端末機器から、チャネル推定により決定されたチャネル状態情報（ＣＳＩ）レポートを受信することと、第１指示情報及び第２指示情報に基づきＣＳＩを作成して、前記端末機器との送信を制御することと、を備え、前記ＣＳＩレポートの第１部分は少なくとも指示情報を備え、前記指示情報は、所定の周波数範囲内の複数の周波数位置について複数のビームから選択された少なくとも１つのビームを示す方法である。
【００１０】
第５の態様では、端末機器が提供される。該機器は、プロセッサと、処理ユニットに結合され指示が記憶されたメモリとを備え、指示が処理ユニットにより実行された場合、第１の態様及び第２の態様のいずれかの方法を実行する。
【００１１】
第６の態様では、ネットワーク機器が提供される。該機器は、プロセッサと、処理ユニットに結合され指示が記憶されたメモリとを備え、指示が処理ユニットにより実行された場合、第３の態様及び第４の態様のいずれかの方法を実行する。
【００１２】
第７の態様では、少なくとも１つのプロセッサで実行された場合、少なくとも１つのプロセッサに、第１の態様及び第２の態様のいずれかの方法を実行させる指示が記憶された、コンピュータ可読媒体が提供される。
【００１３】
第８の態様では、少なくとも１つのプロセッサで実行された場合、少なくとも１つのプロセッサに、第１の態様及び第２の態様のいずれかの方法を実行させる指示が記憶された、コンピュータ可読媒体が提供される。
【００１４】
本開示のその他の特徴は、以下の説明により容易に理解できるはずである。
【図面の簡単な説明】
【００１５】
以下、図面において本開示のいくつかの実施形態をさらに詳細に説明し、本開示の上述の及びその他の目的、特徴、利点を、さらに明らかにする。
【００１６】
【図１】本開示の実施形態を実現可能な通信環境のブロック図である。
【００１７】
【図２】本開示のいくつかの実施形態によるチャネル状態情報（ＣＳＩ）送信のためのプロセスを示すフロー図である。
【００１８】
【図３】本開示の他のいくつかの実施形態による、ビームの時間領域応答及び周波数領域応答のグラフである
【００１９】
【図４】本開示の他のいくつかの実施形態によるビームの周波数領域応答のグラフである。
【００２０】
【図５】本開示の他のいくつかの実施形態によるビームの時間領域応答のグラフである。
【００２１】
【図６】本開示の他のいくつかの実施形態によるビームの時間領域応答のグラフである。
【００２２】
【図７】本開示の他のいくつかの実施形態による、ＣＳＩ送信のためのプロセスを示すフロー図である。
【００２３】
【図８】本開示のいくつかの実施形態による例示的方法のフロー図を示す。
【００２４】
【図９】本開示の他のいくつかの実施形態による例示的方法のフロー図を示す。
【００２５】
【図１０】本開示の別のいくつかの実施形態による例示方法のフロー図を示す。
【００２６】
【図１１】本開示のまた別のいくつかの実施形態による例示方法のフロー図を示す。
【００２７】
【図１２】本開示の実施形態を実現するのに適したデバイスの概略ブロック図である。
【００２８】
全ての図において、同一又は類似の図面符号は、同一又は類似の部材を示す。
【発明を実施するための形態】
【００２９】
以下、いくつかの例示的実施形態を参照して、本開示の原理を説明する。理解すべき点として、これらの実施形態は、単に解釈・説明を目的として記述され、当業者が本開示を理解し実現する際の助けとなるものであり、本開示の範囲について何らかの限定を示唆するものではない。本明細書で説明する開示内容は、以下に説明する方法以外にも、さまざまな方法で実現可能である。
【００３０】
以下の説明及び請求項において、別に定義がある場合を除き、文中で使用される全ての技術・科学用語は、本開示の属する分野の当業者が通常理解するものと、同じ意味を有する。
【００３１】
例えば、文中で使用される用語「ネットワーク機器」又は「基地局」（ＢＳ）とは、端末機器が通信可能なセル又はカバー範囲を、提供又は管理可能なデバイスを指す。ネットワーク機器の例には、ノードＢ（ＮｏｄｅＢ又はＮＢ）、進化型ＮｏｄｅＢ（ｅＮｏｄｅＢ又はｅＮＢ）、ＮＲ無線アクセスにおけるＮｏｄｅＢ（ｇＮＢ）、リモートラジオユニット（ＲＲＵ）、無線ヘッド（ＲＨ）、リモート無線ヘッド（ＲＲＨ）、低電力ノード（例えばフェムトノード、ピコノード等）が含まれるが、これらに限定されない。説明を目的として、以下の文では、参考用にｇＮＢをネットワーク機器の例示とし、いくつかの実施形態を説明する。
【００３２】
文中で使用される用語「端末機器」は、無線又は有線での通信能力を有する全てのデバイスを指す。端末機器の例として、ユーザー機器（ＵＥ）、パーソナルコンピュータ、デスクトップコンピュータ、移動電話、携帯電話、スマートフォン、携帯情報端末（ＰＤＡ）、携帯コンピュータ、画像取込デバイス（例えばデジタルカメラ）、ゲーム機器、音楽保存再生装置、又は無線若しくは有線によるインターネットへのアクセス・閲覧機能を可能にするインターネットデバイス等が含まれるが、これらに限定されない。
【００３３】
文中で使用される場合、文中で他に明記していない限り、単数形式である「１」、「１つ」及び「該」は、複数形式を含むことを意味する。用語「含む」及びその変形は、「…を含むが、これらに限定されない」という意味の、開放式の用語であると解釈されるべきである。用語「…に基づいて」は、「少なくとも部分的に基づく」と解釈されるべきである。用語「１つの実施形態」及び「実施形態」は、「少なくとも１つの実施形態」と解釈されるべきである。用語「別の実施形態」は、「少なくとも１つの別の実施形態」と解釈されるべきである。用語「第１」、「第２」等は、異なるか又は同一の対象を示すことができる。以下の文中では、その他の定義（明示又は暗示の）も含むことができる。
【００３４】
いくつかの例示において、値、手順又は装置は、「最良」、「最低」、「最高」、「最小」、「最大」等と称される。理解すべき点として、こうした説明は、使用される複数の機能の代替手段の中から、選択可能であると示すことを意図しており、こうした選択は、他の選択と比べて、より優れていたり、より小さかったり、より高かったり、又は他の態様ではより好ましかったりする必要はない。
【００３５】
図１は、本開示の実施形態を実現可能な例示的通信ネットワーク１００を示す。ネットワーク１００は、ネットワーク機器１１０と、ネットワーク機器１１０からサービスを受ける端末機器１２０とを含む。ネットワーク機器１１０のサービスエリアはセル１０２と称される。ネットワーク機器及び端末機器の数は、説明を目的としたものにすぎず、何らかの限定を示唆するものではないことは理解できるはずである。ネットワーク１００は、本開示の実施形態の実現に適した任意の適切な数のネットワーク機器及び端末機器を含むことができる。図示されてはいないが、理解すべき点として、１つ又は複数の端末機器がセル１０２内に位置し、ネットワーク機器１１０からサービスを受けることができる。
【００３６】
通信ネットワーク１００において、ネットワーク機器１１０は、データ及び制御情報を端末機器１２０に送ることができ、端末機器１２０も、データ及び制御情報をネットワーク機器１１０に送ることができる。ネットワーク機器１１０から端末機器１２０へのリンクはダウンリンク（ＤＬ）又はフォワードリンクと称され、端末機器１２０からネットワーク機器１１０へのリンクはアップリンク（ＵＬ）又はリバースリンクと称される。
【００３７】
通信技術により、ネットワーク１００は、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ（ＳＣ−ＦＤＭＡ）ネットワーク又は他の任意のネットワークであり得る。ネットワーク１００に関し論じる通信としては、任意の適切な規格に適合するものを用いることができ、それにはＮｅｗ  Ｒａｄｉｏアクセス（ＮＲ）、Ｌｏｎｇ  Ｔｅｒｍ  Ｅｖｏｌｕｔｉｏｎ（ＬＴＥ）、ＬＴＥ  Ｅｖｏｌｕｔｉｏｎ、ＬＴＥ−Ａｄｖａｎｃｅｄ（ＬＴＥ−Ａ）、広帯域符号分割多元接続（ＷＣＤＭＡ）、符号分割多元接続（ＣＤＭＡ）、ｃｄｍａ２０００、及びＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）等が含まれるが、これらに限定されない。また、現在既知の又は将来開発される任意の世代の通信プロトコルに基づき、通信を実行することができる。通信プロトコルの例として、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）通信プロトコルが含まれるが、これらに限定されない。本明細書で説明する技術は、上述した無線ネットワーク及び無線技術並びに他の無線ネットワーク及び無線技術において用いることができる。明確性の観点から、以下ではＬＴＥ技術のいくつかの面について説明を行っており、以下の多くの説明において、ＬＴＥの技術用語が使用されている。
【００３８】
通信中、端末機器１２０は、端末機器１２０とネットワーク機器１１０との間の通信チャネルのチャネル状態情報（ＣＳＩ）を推定しレポートするように設定される。ＣＳＩは、端末機器１２０により、ネットワーク機器１１０により送信されたダウンリンク参照信号を用いて決定することができる。
【００３９】
通常、ＬＴＥは、ｉｍｐｌｉｃｉｔ  ｒａｎｋ  ｉｎｄｉｃａｔｏｒ／プリコーディング行列インジケータ／リソース分割情報／チャネル品質指標（ＲＩ／ＰＭＩ／ＲＰＩ／ＣＱＩ）のフィードバックフレームワークを、ＣＳＩフィードバックに用いる。ＣＳＩフィードバックフレームワークは、コードブックから導き出されるＣＱＩ／ＰＭＩ／ＲＩ（及びＬＴＥ仕様でのＣＲＩ）の面では「暗黙」であると認識される。
【００４０】
ＲＩは前述したようにチャネルランクに関する情報であり、同一の時間周波数リソースを介して受信可能なストリームの数を示す。ＲＩはチャネルの長期間のフェージングにより決定されるので、通常、ＰＭＩ又はＣＱＩより長い周期でフィードバックすることができる。ＰＭＩはチャネルの空間特性を示す値であり、端末機器に好まれるネットワーク機器のプリコーディング行列インジケータを示す。ＲＰＩは、サービスネットワーク機器１１０と、１つ又は複数の非サービスネットワーク機器との間のパワードメインリソースの割り当てに対応する。ＣＱＩはチャネルの強度を示す情報であり、ネットワーク機器がＰＭＩを使用する際に取得可能な受信ＳＩＮＲを示す。
【００４１】
ＣＳＩフィードバックは、全ての又は部分的なシステム帯域幅での平均的なチャネル状況を反映している。例えばＲＩ、ＰＭＩ及びＲＰＩなどの尺度は、システム帯域幅全体での平均チャネル状況（例えば、ワイドバンドＲＩ／ＰＭＩ）を反映するために算出することができる。システム帯域幅にわたるＰＭＩは、システム帯域幅についてのビームのインデックスを示すことができ、システム帯域幅にわたるＲＰＩは、システム帯域幅にわたるビームのゲインを示すことができる。例えばＰＭＩ及びＣＱＩなどのいくつかの尺度は、サブバンド毎に算出することができる。１つのサブバンド用のＰＭＩは、該サブバンドにおけるビームのゲインを示すことができ、また、１つのサブバンド用のＲＰＩは、該サブバンドにおけるビームの位相シフトを示すことができる。
【００４２】
端末機器が１つのビーム用のＣＳＩを報告する際、端末機器はチャネル推定に基づきＲＩ、ＰＭＩ、ＲＰＩ及び／又はＣＱＩを定義するパラメータを決定することができる。コードブックからコードワードを識別するために、これらのパラメータをネットワーク機器にレポートすることができる。１つのビームを使う送信のために定義されるコードブックは、Ｔｙｐｅ  Ｉコードブックと称することもでき、この中で各コードワードは以下のとおり定義することができる。
【数１】
2021535637.tif 000003
ここで、ｖｌ、ｍは、特定ビームのベクトルを示す。ｌ及びｍはビームを識別するためのインデックスであり、該ビームは三次元（３Ｄ）ビームであるため、ｌ及びｍはそれぞれビームの水平及び垂直方向に対応し、φｎは、ビーム用の偏向因子（ｐｏｌａｒｉｚａｔｉｏｎ  ｆａｃｔｏｒ）を定義するためのものであり、さらにここで、
【数２】
2021535637.tif 000004
であり、Ｎ１、Ｎ２ネットワーク機器でのアンテナアレイの次元を示すために用いられ、Ｏ１及びＯ２は空間方向をオーバーサンプリングするための設定数である。
【００４３】
ネットワーク機器がビーム用のコードワードを決定するのを許可するためには、端末機器によりｌ、ｍ及びφｎを含むパラメータをレポートする必要がある。１つのビーム用のＣＳＩだけを必要とするため、オーバーヘッドが制限される。
【００４４】
他のいくつかの状況では、端末機器は、１つより多いビーム（例えば、Ｌ個のビーム）用のＣＳＩをレポートするように設定される。コードブックからコードワードを決定するためには、該ビームについての情報が必要となる。このような状況において、該コードワードは、異なるビームの情報に基づき端末機器によって、例えば以下のとおり定義することができる。
【数３】
2021535637.tif 000005
ここでｖｍ１（ｉ）、ｍ２（ｉ）はｉ個目のビームのベクトルを表す。ｍ１（ｉ）及びｍ２（ｉ）は、ｉ個目のビームの水平方向及び垂直方向と対応するインデックスであり、ｉ個目のビームを識別するために用いることができる。いくつかの例示において、ｖｍ１（ｉ）、ｍ２（ｉ）は、システム帯域幅（ワイドバンド）にわたるｉ個目のビーム用のＰＭＩであるとみなすことができる。ｐｌ、ｉ（１）はシステム帯域幅にわたるｉ個目のビームのゲインを示し、且つｐｌ、ｉ（２）は、あるサブバンドにおけるｉ個目のビームのゲインを示す。ｐｌ、ｉ（１）とｐｌ、ｉ（２）は、システム帯域幅にわたるｉ個目のビーム用のＲＰＩ、及び特定サブバンドにおけるｉ個目のビーム用のもう１つのＰＭＩであるとみなすことができる。φｌ、ｉは周波数領域において異なるビームを組み合わせるための位相因子を表す。例えば式２のコードワードを含むコードブックは、Ｔｙｐｅ  ＩＩコードブックと称することができる。
【００４５】
ネットワーク機器がコードワードを決定するのを許可するために、Ｌ個のビームの各ビームについて、ワイドバンド情報ｍ１（ｉ）、ｍ２（ｉ）及びｐｌ、ｉ（１）、並びにサブバンド情報ｐｌ、ｉ（２）及びφｌ、ｉを含むパラメータが、端末機器によりレポートされる必要があるが、これによってＣＳＩ送信のオーバーヘッドが増加してしまう。ＣＳＩ送信のオーバーヘッド総量は、レポートされるビーム数及びランク順位（ｒａｎｋ  ｏｒｄｅｒ）により決まる。下の表１はいくつかの状況におけるＣＳＩ送信のオーバーヘッドを示す。
【表１】
2021535637.tif 000006
【００４６】
表１から理解できるように、ＣＳＩフィードバックのオーバーヘッドは大きく、６００ビット前後になる場合もある。また、システム帯域幅が広いと、システム帯域幅における複数のサブバンド内の各サブバンド用のＣＳＩフィードバックを送信する必要があり、これでは、サブバンド数の増加に伴いオーバーヘッドをさらに増加させてしまう。したがって、ＣＳＩ送信のオーバーヘッドを圧縮する必要がある。
【００４７】
ＣＳＩ圧縮のための解決手段はすでにいくつかある。ある解決手段によれば、端末機器は周波数領域におけるいくつかの周波数位置でＣＳＩを送信する。ＣＳＩフィードバックを受信した後、ネットワーク機器はいくつかの周波数位置で受信したＣＳＩを補間して他の周波数位置でのＣＳＩを決定する。この方法により、全ての周波数位置でのＣＳＩを決定するとともに、ＣＳＩ送信のオーバーヘッド総量を減らすことができる。しかしながら、ＣＳＩオーバーヘッドはそれでも大きく、システム帯域幅の増加又はサブバンド数の増加に伴い増加してしまう。
【００４８】
本開示の実施形態では、ＣＳＩ送信に用いられる解決手段が提供される。該解決手段では、端末機器により、周波数領域と関連する指示情報は決定され、ＣＳＩレポートに含まれる。周波数関連の指示情報及び空間領域中のビームと関連する他の指示情報は、ネットワーク機器がＣＳＩを作成するために用いることができる。
【００４９】
以下、図２を参照しつつ本開示の原理及び実施形態を詳細に説明する。図２は本開示の実施形態によるＵＣＩ送信のためのプロセス２００を示す。議論を目的として、図１を参照しつつプロセス２００を説明する。プロセス２００は、図１におけるネットワーク機器１１０及び端末機器１２０に関わることができる。
【００５０】
端末機器１２０は、異なる空間方向を有するビームセットについて、所定の周波数範囲にわたって、端末機器１２０とネットワーク機器１１０との間のチャネル推定を実行する（２０５）。端末機器１２０は、各種手順を利用してチャネル推定を実行することができる。通常、端末機器１２０はネットワーク機器１１０から参照信号を受信することができる。参照信号は、端末機器１２０及びネットワーク機器１１０のいずれにとっても既知の任意の信号系列であり得る。受信した参照信号を真の参照信号と比較することで、端末機器１２０は端末機器１２０とネットワーク機器１１０との間のチャネル状況を推定することができる。
【００５１】
端末機器１２０はチャネル推定に基づき、第１指示情報及び第２指示情報を決定する（２１０）。第１指示情報はビームセットから選択された少なくとも１つのビームを示し、第２指示情報は所定の周波数範囲内の複数の周波数位置での選択された少なくとも１つのビームについての周波数関連情報を示す。チャネル推定により、端末機器１２０はビームセットの中から所定数のビームを選択して、ネットワーク機器にレポートする。選択した（１つ又は複数の）ビームのうちのそれぞれは、対応するインデックス、例えば水平方向及び垂直方向と関連するインデックスを用いて示すことができる。
【００５２】
本開示の実施形態によれば、ＣＳＩフィードバックのために周波数領域における付加的な指示情報（即ち、第２指示情報）が決定される。周波数範囲はネットワーク１００のシステム帯域幅を有するため、ワイドバンド（ｗｉｄｅｂａｎｄ）と称することもできる。選択された各ビームについて、第２指示情報では対応する周波数関連情報を示す。いくつかの実施形態では、周波数関連情報を用いて、式２から以下のとおりＣＳＩ用のコードワードを拡張することができる。
【数４】
2021535637.tif 000007
ここで、ｆｉは、選択されたｉ個目のビームの周波数関連情報を表し、Ｌは選択されたビームの数を表し、φｌ、ｉは時間領域において異なるビームを結合するための共位相シフト（ｃｏ−ｐｈａｓｅ  ｓｈｉｆｔ）因子を表し、ｐｌ、ｉ（１）とｐｌ、ｉ（２）は時間領域におけるｉ個目のビームのゲインを表す。
【００５３】
いくつかの実施形態では、端末機器１２０で実行される時間−周波数領域変換の結果を用いて、第２指示情報を示すことができる。例えば、離散フーリエ変換（ＤＦＴ）又は高速フーリエ変換（ＦＦＴ）で得られたマトリックスから選択された要素を用いて第２指示情報を示すことができ、ここでＤＦＴ又はＦＦＴは通常、端末機器１２０で実行され、特にＯＦＤＭネットワークにおいて実行される。ＤＦＴマトリックスにおいて、各行は１つのサブキャリアに対応し、各列は選択されたあるビームと関連するチャネル経路の時間領域における遅延値に対応する。したがって、ＤＦＴマトリックスにおける特定の行及び特定の列での要素を、ＣＳＩフィードバックのための周波数関連情報として使用することができる。
【００５４】
例示的ＤＦＴマトリックスは以下のとおり提供される。
【数５】
2021535637.tif 000008
ここでＤｓｋ、ｉ＝ｅｊ２πｓｋτｉ、
【数６】
2021535637.tif 000009
、且つτｉ＝０、・・・、Ｎ−１である。式４において、ＮはＤＦＴマトリックスのサイズ（すなわち、Ｎ＊Ｎのサイズ）と関連する。τｉは時間領域においてｉ個目のビームと関連する遅延値を表し、０〜Ｎ−１の範囲内の値に正規化することができる。ｓｋ及びｉはそれぞれ、ＤＦＴマトリックスにおける要素についての行インデックス及び列インデックスである。ＳＢｋはｋ個目のサブバンドを表す。ＳＢｋ及びｏｆｆｓｅｔは、サブバンドにおける、あるサブキャリアと対応する行インデックスを決定するために用いられる。さらにｏｆｆｓｅｔは、サブバンドにおける中心サブキャリアのインデックス（該サブバンドは１つ又は複数のサブキャリアに分割可能である）又は非中心サブキャリアのインデックスであってよいが、予め設定されたパラメータオフセットであり、該予め設定されたパラメータオフセットは、サブバンド内のあるサブキャリアを定義するために用いられる。
【００５５】
いくつかの実施形態において、ｉ個目のビームについての周波数関連情報ｆｉはベクトルであってよく、複数の周波数位置（例えば、ある周波数範囲内の異なるサブバンドの周波数位置）と対応する要素を含む。周波数関連情報ｆｉについてのベクトルの長さは、周波数位置（例えば、サブバンド）の数によって決まり、該数はネットワーク機器１１０により設定することができる。例えば、ネットワーク機器１１０は端末機器１２０に、Ｓ個のサブバンドについての周波数関連情報をレポートする必要があると通知することができ、この場合、周波数関連情報ｆｉの長さはＳである。周波数関連情報ｆｉについてのベクトルにおけるｋ個目の要素は、Ｄｓｋ、ｉと表すことができる。
【００５６】
いくつかの実施形態では、ネットワーク機器１１０でＤＦＴマトリックスを取得することができ、且つ考慮されるサブバンドもネットワーク機器１１０により設定されることから、端末機器１２０は、選択されたビームと関連する遅延値（ｉ個目のビームと関連する経路についてのτｉ）のみを、第２指示情報として決定することが可能である。これらの実施形態では、選択された各ビームについての周波数関連情報は、関連する遅延値と、複数の周波数位置の所定のインデックス（例えばｓｋ）との組合せにより示すことができる。
【００５７】
図３は、時間領域応答及び周波数領域応答についてのグラフ３０２及び３０４をそれぞれ示す。全てのビームの時間領域応答についてのグラフ３０２は、
【数７】
2021535637.tif 000010
であると決定することができる。ここでｐｌ、ｉ（１）ｐｌ、ｉ（２）はｉ個目のビームのゲインを表し、φｌ、ｉは複数の周波数位置にわたって適用される、ｉ個目のビームについての時間領域における共位相シフト因子を表す。ｉ個目のビームの周波数領域応答についてのグラフ３０４は、
【数８】
2021535637.tif 000011
であると決定することができる。
【００５８】
いくつかの実施形態において、０〜Ｎ−１の範囲を使用する代わりに、遅延値τｉの値の範囲は、例えば無線リソース制御（ＲＲＣ）シグナリングを介して設定するか、又はメディアアクセス制御（ＭＡＣ）−コントロールエレメント（ＣＥ）によりアクティブ化することもできる。他のいくつかの実施形態において、遅延値τｉの範囲は、ネットワーク１００で使用されるサイクリックプレフィックスの長さ及び／又はニューマロロジー（ｎｕｍｅｒｏｌｏｇｙ）により決定される。
【００５９】
いくつかの実施形態において、第２指示情報を除き、ＣＳＩレポートにおける他の情報は、通常のＣＳＩフィードバックフレームワークから、再利用される。例えば、選択された（１つ又は複数の）ビームを示す第１指示情報は、選択された（１つ又は複数の）ビームの水平方向及び垂直方向のインデックスにより表すことができ、これによって、例えばワイドバンドＰＭＩとして認識可能なｖｍ１（ｉ）、ｍ２（ｉ）を示すことができる。いくつかの実施形態において、端末機器１２０はチャネル推定に基づき第３指示情報を決定することができる。該第３指示情報は、周波数範囲にわたる、選択された少なくとも１つのビームについてのゲインを示す。例えば、第３指示情報は、ビームのゲインを示すワイドバンドＲＰＩ（例えばｐｌ、ｉ（１））であり得る。
【００６０】
端末機器１２０はさらにチャネル推定に基づき第４指示情報を決定することができる。該第４指示情報は、所定の周波数範囲にわたって適用される、選択された少なくとも１つのビームについての時間領域におけるそれぞれの共位相シフト（例えばφｌ、ｉ）を示す。第４指示情報はワイドバンド情報として認識可能である。
【００６１】
再び図２を参照すると、端末機器１２０はＣＳＩレポートの第１部分における第１指示情報を送信し（２１５）、ＣＳＩレポートの第２部分における第２指示情報を送信する（２１５）。ＣＳＩレポートは通常２つの部分、第１部分（部分１とも称する）及び第２部分（部分２とも称する）を含む。第１部分は、第２部分より前に、端末機器１２０によりネットワーク機器１１０に送信することができる。この２つの部分は個別に符号化することができる。端末機器１２０により選択された（１つ又は複数の）ビームを示す指示情報は、通常、第１部分にあり、ネットワーク機器１１０はまず第１部分を復号化して、どの（１つ又は複数の）ビームが予期されるかを決定することができる。
【００６２】
第３指示情報及び第４指示情報を決定する実施形態では、端末機器１２０はさらに、決定した情報を、ネットワーク機器１１０に送信するＣＳＩレポートの第２部分の中に含めることができる。ＣＳＩレポートの第１部分及び第２部分を受信した後、ネットワーク機器１１０は受信した指示情報に基づき、ＣＳＩを作成する（２２０）。例えば、ネットワーク機器１１０は、受信した指示情報に基づき、ＣＳＩコードブックからコードワードを決定し、端末機器１２０との送信を制御する。
【００６３】
いくつかの実施形態では、各サブバンド内のビームのゲインは決定されないか、又はＣＳＩレポートに含まれない。ＣＳＩレポートは主に、選択された（１つ又は複数の）ビームを示す第１指示情報（例えばｖｍ１（ｉ）、ｍ２（ｉ））と、選択された各ビームについての第２指示情報（遅延値τｉ）と、周波数範囲にわたる第３指示情報（ｐｌ、ｉ（１））と、周波数範囲全体にわたって適用される、時間領域における共位相シフトを示す第４指示情報（φｌ、ｉ）とを含むことができる。すなわち、選択された各ビームのゲイン及び共位相シフトは時間領域内でレポートされるため、ＣＳＩレポートにおいて、それぞれの周波数位置で各サブバンドについて個別にレポートされることがなく、したがってレポート送信のオーバーヘッドの減少に寄与することができる。いくつかの実施形態において、ＣＳＩレポートはさらに、該周波数範囲と対応するチャネル品質指標（ＣＱＩ）を示す別の指示情報を含むことができる。ＣＱＩはレポートの第１部分に含めることができる。
【００６４】
これらの実施形態において、ネットワーク機器１１０は、指示情報を受信した後、ＣＳＩ作成のため、受信した指示情報に基づき、ＣＳＩについて設定されたコードブックからコードワードを決定することができる。例えば上記式３に基づきコードワードを決定することができる。コードワードはサブキャリア（周波数位置）毎に決定することができる。通信チャネルに１つのビームしかない場合、ｖｍ１（ｉ）、ｍ２（ｉ）に示されるビームは全ての周波数位置に対し同一であり、周波数範囲にわたる該ビームのゲインは全ての周波数位置に対し同一であり、時間領域における共位相シフトも、システム帯域幅にわたる全ての周波数位置に対して同一である。サブキャリアｓｋにおける成分位相情報はφｌ、ｉｅ−ｊ２πｓｋτｉとして決定され、これは時間領域における共位相シフト及び遅延値により決定される。このような状況では、全ての周波数範囲内の単一ビームの周波数領域応答は、図４のグラフ４０２に示すように不変のままである。
【００６５】
いくつかの実施形態において、２つを超えるビームが選択された場合、選択されたそれぞれのビームの第２、第３及び第４指示情報に対して重み付けを行うことにより、周波数位置で選択された各ビームについてのゲインを決定することができる。例えば、選択された２つのビームが存在する場合、第２指示情報は、この２つのビームについての遅延値τ１及びτ２を含むことができ、第３指示情報は、周波数範囲にわたって適用されるこれら２つのビームについてのゲインｐ１及びｐ２を含むことができ、第４指示情報は異なる周波数位置で適用される２つのビームについての時間領域における共位相シフトφ１及びφ２を含むことができる。その後、図４のグラフ４０４における曲線４１０に示すように、それぞれの周波数位置ｆにおけるこれら２つのビームのゲインは、ｐ１ｖ１φ１ｅｊ２πｆτ１＋ｐ２ｖ２φ２ｅｊ２πｆτ２であると決定することができる。また、他の方法を利用して、周波数範囲にわたるゲインに基づき、異なるサブバンドでのゲインを決定することもできる。
【００６６】
いくつかの実施形態では、サブバンドベースのＣＳＩレポーティングを実現するために、全てのサブバンド情報ではなく一部のサブバンド情報が決定され、且つレポートにおいて送信される。例えば、２つ以上のビームが選択されると（例えば、Ｌ個のビーム）、端末機器１２０はさらに第５指示情報を決定する。該第５指示情報は、複数の周波数位置のサブセットでのビームサブセットにおける少なくとも１つのビームのゲインを示す。例えば、Ｌ個のビームから１つ又は複数の最強ビーム（例えば、Ｌｓｂ）を選択し、これらのビームのサブバンドベースのゲインを第５指示情報として決定することができる。いくつかの実施形態では、周波数範囲内の複数の周波数位置を、２つ以上のサブセットに分割することができる。各サブセットでは最強ビームが検索される。第５指示情報はサブバンドＰＭＩであるとみなすことができ、ｐｌ、ｉ（２）と表すことができる。より少ないサブバンドゲインを送信することによっても、ＣＳＩのオーバーヘッドを減らすことができる。第５指示情報はＣＳＩレポートの第２部分でレポートすることができる。
【００６７】
例示として、図５において、グラフ５０２は、時間領域において分布する異なる遅延値を有する８個のビームを示し、グラフ５０４は周波数領域応答を示す。周波数領域応答の強さに応じて、第１周波数位置セット（セット１）においてビーム１、２、４及び８が選択され、選択されたビームのこれらの周波数位置での対応するゲインを決定し、第５指示情報に含めることができる。また、第２周波数位置セット（セット２）においてビーム１、２、７及び８が選択され、選択されたビームのこれらの周波数位置での対応するゲインを決定し、第５指示情報に含めることができる。
【００６８】
いくつかの実施形態において、全ての周波数位置での全てのビームについての第４指示情報を含む代わりに、ＣＳＩレポートは第６指示情報を含むことができる。第６指示情報は、周波数位置のサブセットでの少なくとも１つのより強いビームのそれぞれの共位相シフトを示す。図５の例示において、第４指示情報は第１周波数位置セットでのビーム１、２、４及び８の共位相シフトを示すことができ、第２周波数位置セットでのビーム１、２、７及び８の共位相シフトを示すことができる。より少ないサブバンド共位相シフトを送信することで、ＣＳＩのオーバーヘッドをさらに減らすことができる。第６指示情報もＣＳＩレポートの第２部分でレポートすることができる。
【００６９】
いくつかの実施形態において、ＣＳＩレポートはさらに別の指示情報を含むことができ、別の指示情報は周波数範囲と対応するチャネル品質指標（ＣＱＩ）又は複数の周波数位置と対応するそれぞれのＣＱＩを示す。ＣＱＩ関連情報はＣＳＩレポートの第１部分に含めることができる。
【００７０】
いくつかの実施形態において、端末機器１２０によりＣＳＩ送信において遅延値τｉを送信するために、第２指示情報における遅延値を複数のビットに量子化することができる。正確性を確保するために、また、ビット数を大量に使用してオーバーヘッドを増加させることを回避するために、以下では遅延値のための量子化のいくつかの実施形態について説明することとする。また、ＣＳＩレポートにおける他の情報の量子化は、既存の任意の方法又は将来開発される任意の他の方法により、行うことができる。
【００７１】
いくつかの実施形態において、端末機器１２０は遅延値τｉに対し、不均一量子化を用いることができる。１つの実施形態では、選択されたビームの各遅延値について、端末機器１２０は該遅延値τｉに基づき、該遅延値の量子化のためのビットの第１の数を決定することができる。第１の数は、より小さい大きさを有するもう１つの遅延値について決定されたビット数より大きい。例えば、遅延値の範囲が０〜Ｘで、遅延値τｉの大きさが小さいほど、第１の数は大きくなり、遅延値τｉの大きさが大きいほど、第１の数は小さくなる。このような方法では、より多くのビットを用いて小さい遅延値τｉを量子化することで、他の小さい遅延値に比べて送信の正確度及び分解能を高めることができる。下の表２は、異なる値を有する遅延値の量子化方法の例示を提供する。該例示では、遅延値は０〜１４４の範囲内の値を有することができる。理解すべき点として、表２は説明を目的として提供されたものであり、他の量子化方法も考慮することができる。
【表２】
2021535637.tif 000012
【００７２】
別の実施形態では、端末機器１２０は、選択されたビームの各遅延値について、選択された少なくとも１つのビームのゲインに基づき、該遅延値の量子化のためのビットの第２の数を決定することができる。第２の数は、より高いゲインを有する別のビームと対応する別の遅延値について決定されたビットの数より大きい。選択された全てのビームは、そのゲインに基づき順序付けされる。いくつかの例示において、時間領域内の１つめのビームは最高のゲインを有するため、最初のＫ個のビームについての一定数（例えば、Ｋ個）の遅延値には、より大きい数のビットを割り当てることができ、残りの遅延値にはより小さい数のビットを割り当てることができる。下の表３は、異なる遅延値の量子化方法の例示を提供する。理解すべき点として、表３は説明を目的として提供されたものであり、他の量子化方法も考慮することができる。
【表３】
2021535637.tif 000013
【００７３】
いくつかの実施形態では、同期の過程で、１番目のビームが最強ビームではない（最高ゲインを有しない）可能性がある。例えば、図６のグラフ６０２は時間領域における異なる遅延値の時間領域応答を示し、ここで応答６１０に対応する１番目のビームは同期された最初のビームであるが、応答６１２に対応する７番目のビームが、実際の遅延値が最小である実際上の最初のビームである。これらの実施形態では、端末機器１２０は、遅延値毎に該遅延値を１つの循環シフト値でシフトさせて該遅延値を修正することにより、該遅延値の循環シフトバージョンを取得することができる。循環シフト値はネットワーク機器１１０により設定することができる。図６のグラフ６０４に示すように、循環シフトの後、７番目のビーム（最小ゲインを有する実際上の最初のビーム）が１番目のビームとなるようシフトし、全てのビームは特定の時間範囲に全て集められる。端末機器１２０はその後、該遅延値の循環シフトバージョンのゲインに基づき、ビットの第２の数を決定することができる。
【００７４】
量子化のためのビットの数を決定した後、端末機器１２０は遅延値を第１の数のビット（大きさベースの量子化の実施形態の場合）、又は第２の数のビット（ゲインベースの量子化の実施形態の場合）に量子化することができる。いくつかの実施形態において、該遅延値の循環シフトバージョンに基づきビットの第２の数を決定する場合、端末機器１２０は該遅延値の循環シフトバージョンを第２の数のビットになるように量子化することができる。
【００７５】
以上の実施形態では、周波数関連情報は独立情報（即ち、τｉ）としてＣＳＩレポートに含まれる。他のいくつかの実施形態では、より暗黙的な方法で、周波数関連情報を、選択された（１つ又は複数の）ビームについての指示情報と共に送ることができる。以下、図７を参照しつつこのような実施形態を説明する。図７は本開示の実施形態によるＵＣＩ送信用のプロセス７００を示す。議論を目的として、図１を参照しつつプロセス７００を説明する。プロセス７００は、図１のネットワーク機器１１０及び端末機器１２０に関わることができる。
【００７６】
端末機器１２０は、異なる空間方向を有するビームセットについて、所定の周波数範囲にわたって端末機器１２０とネットワーク機器１１０との間のチャネル推定を実行する（７０５）。７０５での操作は２０５での操作に似ているため、簡潔性の観点から、ここでは詳細な説明を省略する。
【００７７】
端末機器１２０はチャネル推定に基づき指示情報を決定する（７１０）。該指示情報は、所定の周波数範囲内の複数の周波数位置について、複数のビームから選択された少なくとも１つのビームを示す。実施形態によれば、指示情報は、空間関連情報及び周波数関連情報のいずれにおいてもビームに固有のものである。言い換えれば、指示情報は全ての周波数位置に適用される。これらの実施形態では、ＣＳＩについてのコードブックを、こうした情報を示すように新たに設計することができる。例えば、式２から、ＣＳＩ用のコードワードを以下のとおり拡張することができる。
【数９】
2021535637.tif 000014
ここで、
【数１０】
2021535637.tif 000015
である。チャネル推定後、端末機器１２０はｖｍ１（ｉ）、ｍ２（ｉ）、ｆｉを示すための情報を決定することができ、この情報は、ｉ個目のビームのインデックス、ｍ１（ｉ）及びｍ２（ｉ）、並びに周波数関連情報のインデックスｆｉを含むことができる。この３つのインデックスを指示情報として決定することができる。インデックスｆｉは、図２の上述した実施形態で説明したものと類似の方法で決定することができる。インデックスｍ１（ｉ）及びｍ２（ｉ）並びにインデックスｆｉは、レポートにおいて併せて符号化するか、又は個別に符号化することができる。
【００７８】
端末機器１２０はＣＳＩレポートの第１部分における指示情報をネットワーク機器１１０に送信する（７１５）。図２に関し説明した実施形態と異なり、周波数関連情報を示す指示情報は、選択された（１つ又は複数の）ビームを示す指示情報と共に、ネットワーク機器１１０にレポートされる。
【００７９】
以上の決定された指示情報以外に、ＣＳＩレポートはさらに第２部分を含むことができ、該第２部分は他の情報、例えば所定の周波数範囲にわたって適用される選択された少なくとも１つのビームについての時間領域におけるそれぞれのゲインを示す指示情報、所定の周波数範囲にわたって適用される選択された少なくとも１つのビームについての時間領域におけるそれぞれの共位相シフトを示す指示情報、複数の周波数位置における少なくとも１つの周波数位置でのビームサブセットにおける少なくとも１つのビームのゲインを示す指示情報、及び／又は、少なくとも１つの周波数位置でのビームサブセットにおける少なくとも１つのビームについての時間領域におけるそれぞれの共位相シフトを示す指示情報を含むことができる。このような指示情報は、図２の上述した実施形態で説明した指示情報と類似のものであり得る。いくつかの実施形態において、ＣＳＩレポートの第１部分はさらに、ワイドバンドと対応するチャネル品質指標（ＣＱＩ）又は複数の周波数位置と対応するそれぞれのＣＱＩを含むことができる。まず第１部分をネットワーク機器１１０に送信した後、第２部分を送信することができる。
【００８０】
ネットワーク機器１１０はＣＳＩレポートを受信した後、受信した指示情報に基づきＣＳＩを作成する（７２０）。例えば、ネットワーク機器１１０は受信した指示情報に基づき、ＣＳＩコードブックからコードワードを決定することで、端末機器１２０との送信を制御する。
【００８１】
図８は、本開示のいくつかの実施形態による例示的方法８００のフローチャートを示す。方法８００は、図１に示す端末機器１２０で実現することができる。議論を目的として、図１を参照して端末機器１２０の側から方法８００を説明する。
【００８２】
ブロック８１０において、端末機器１２０は、異なる空間方向を有するビームセットについて、所定の周波数範囲にわたって端末機器とネットワーク機器との間のチャネル推定を実行する。ブロック８２０において、端末機器１２０はチャネル推定に基づき、第１指示情報及び第２指示情報を決定する。第１指示情報は、ビームセットから選択された少なくとも１つのビームを示し、第２指示情報は、所定の周波数範囲内の複数の周波数位置での選択された少なくとも１つのビームについての周波数関連情報を示す。ブロック８３０において、端末機器１２０は、チャネル状態情報（ＣＳＩ）レポートの第１部分における第１指示情報をネットワーク機器に送信し、ＣＳＩレポートの第２部分における第２指示情報をネットワーク機器に送信する。
【００８３】
いくつかの実施形態において、第２指示情報を決定することは、所定の周波数範囲にわたって適用される、選択された少なくとも１つのビームと関連する、時間領域における少なくとも１つの遅延値を、第２指示情報として決定することと、選択された各ビームについての周波数関連情報を、関連する遅延値と、複数の周波数位置の所定のインデックスとの組合せにより示すこととを含む。
【００８４】
いくつかの実施形態では、複数の周波数位置はネットワーク機器により設定される。
【００８５】
いくつかの実施形態において、該方法はさらに、チャネル推定に基づき、第３指示情報及び第４指示情報を決定することと、前記ＣＳＩレポートの第２部分における第３指示情報及び第４指示情報をネットワーク機器に送信することを含む。第３指示情報は、所定の周波数範囲にわたって適用される、選択された少なくとも１つのビームについての時間領域におけるそれぞれのゲインを示し、第４指示情報は、所定の周波数範囲にわたって適用される、選択された少なくとも１つのビームについての時間領域におけるそれぞれの共位相シフトを示す。
【００８６】
いくつかの実施形態において、第１指示情報はビームセットから選択されたビームサブセットを示し、該ビームサブセットは２つ以上のビームを含む。該方法はさらに、チャネル推定に基づき、第５指示情報を決定することと、前記ＣＳＩレポートの第２部分における第５指示情報をネットワーク機器に送信することとを含む。第５指示情報は、複数の周波数位置のサブセットでのビームサブセットにおける少なくとも１つのビームのゲインを示す。このような少なくとも１つのビームは、ビームサブセットにおける他のビームより強い。
【００８７】
いくつかの実施形態において、該方法はさらに、チャネル推定に基づき、第６指示情報を決定することと、ＣＳＩレポートの第２部分における第６指示情報をネットワーク機器に送信することとを含む。第６指示情報は、少なくとも１つの周波数位置でのビームサブセットにおける少なくとも１つのビームのそれぞれの共位相シフトを示す。
【００８８】
いくつかの実施形態において、ＣＳＩレポートの第１部分はさらに別の指示情報を備え、別の指示情報は、周波数範囲と対応するチャネル品質指標（ＣＱＩ）、又は複数の周波数位置と対応するそれぞれのＣＱＩを示す。
【００８９】
いくつかの実施形態において、送信はさらに、少なくとも１つの遅延値の各遅延値について、該遅延値の大きさに基づき、該遅延値の量子化のためのビットの第１の数を決定することと、該遅延値を第１の数のビットに量子化することと、第１の数のビットをネットワーク機器に送信することとを含む。第１の数は、より小さい大きさを有する別の遅延値について決定されたビットの数より大きい。
【００９０】
いくつかの実施形態において、送信はさらに、少なくとも１つのビームの各ビームについて、選択された少なくとも１つのビームのゲインに基づき、該遅延値の量子化のためのビットの第２の数を決定することと、該遅延値を第２の数のビットに量子化することと、第２の数のビットをネットワーク機器に送信することとを含む。該第２の数は、より高いゲインを有する別のビームと対応する別の遅延値について決定されたビットの数より大きい。
【００９１】
いくつかの実施形態において、ビットの第２の数を決定することは、該遅延値を１つの循環シフト値でシフトさせて遅延値を修正することにより、該遅延値の循環シフトバージョンを取得することと、該遅延値の循環シフトバージョンのゲインに基づきビットの第２の数を決定することとを含む。該遅延値を量子化することは、該遅延値の循環シフトバージョンを量子化することを含む。
【００９２】
いくつかの実施形態において、所定の周波数範囲はシステム帯域幅を有する。
【００９３】
いくつかの実施形態において、第１部分が送信された後に、第２部分はネットワーク機器に送信される。
【００９４】
図９は、本開示の他のいくつかの実施形態による例示的方法９００のフローチャートを示す。方法９００は、図１に示す端末機器１２０で実現することができる。議論を目的として、図１を参照して端末機器１２０の側から方法９００を説明する。
【００９５】
ブロック９１０において、端末機器１２０は、異なる空間方向を有するビームセットについて、所定の周波数範囲にわたって端末機器とネットワーク機器との間のチャネル推定を実行する。ブロック９２０において、端末機器１２０はチャネル推定に基づき指示情報を決定する。該指示情報は、所定の周波数範囲内の複数の周波数位置について、複数のビームから選択された少なくとも１つのビームを示す。ブロック９３０において、端末機器１２０はチャネル状態情報（ＣＳＩ）レポートの第１部分における該指示情報をネットワーク機器に送信する。
【００９６】
いくつかの実施形態において、指示情報は、ＣＳＩについて設定されるコードブックにおけるコードワードを定義するためのインデックスを含む。
【００９７】
いくつかの実施形態において、該方法はさらに、チャネル推定に基づき別の指示情報を決定することと、ＣＳＩレポートの第２部分における該指示情報をネットワーク機器に送信することとを含む。別の指示情報は、所定の周波数範囲にわたる選択された少なくとも１つのビームについての時間領域におけるそれぞれのゲイン、及び、所定の周波数範囲にわたって適用される選択された少なくとも１つのビームについての時間領域におけるそれぞれの共位相シフトのうち少なくとも１つを示す。第１部分が送信された後に、第２部分はネットワーク機器に送信される。
【００９８】
図１０は、本開示の他のいくつかの実施形態による例示的方法１０００のフローチャートを示す。方法１０００は、図１に示すネットワーク機器１１０において実現することができる。議論を目的として、図１を参照して端末機器１２０の側から方法１０００を説明する。
【００９９】
ブロック１０１０において、ネットワーク機器１１０は端末機器から、チャネル推定により決定されたチャネル状態情報（ＣＳＩ）レポートを受信する。ＣＳＩレポートの第１部分は、ビームセットのうちの少なくとも１つのビームを示す第１指示情報を少なくとも備え、ＣＳＩレポートの第２部分は、所定の周波数範囲内の、選択された少なくとも１つのビームについての複数の周波数位置を示す第２指示情報を少なくとも含む。ブロック１０２０において、ネットワーク機器１１０は第１指示情報及び第２指示情報に基づきＣＳＩを作成して、端末機器との送信を制御する。
【０１００】
いくつかの実施形態において、第２指示情報は、所定の周波数範囲にわたって適用される、選択された少なくとも１つのビームと関連する、時間領域における少なくとも１つの遅延値を前記第２指示情報として含む。ＣＳＩを作成することは、関連する遅延値と、複数の周波数位置の所定のインデックスとの組合せにより、選択された各ビームについて周波数関連情報を決定することを含む。
【０１０１】
いくつかの実施形態では、複数の周波数位置はネットワーク機器により設定される。
【０１０２】
いくつかの実施形態において、ＣＳＩレポートの第２部分は、第３指示情報及び第４指示情報を含む。第３指示情報は、所定の周波数範囲にわたって適用される、選択された少なくとも１つのビームについての時間領域におけるそれぞれのゲインを示し、第４指示情報は、所定の周波数範囲にわたって適用される、選択された少なくとも１つのビームについての時間領域におけるそれぞれの共位相シフトを示す。該方法はさらに、第２指示情報、第３指示情報及び第４指示情報に対して重み付けを行うことにより、複数の周波数位置における選択された少なくとも１つのビームについてのそれぞれのゲインを決定することを含む。
【０１０３】
いくつかの実施形態において、第１指示情報はビームセットから選択されたビームサブセットを示し、該ビームサブセットは２つ以上のビームを含む。また、ＣＳＩレポートの第２部分は第５指示情報をさらに備え、該第５指示情報は、複数の周波数位置のサブセットでのビームサブセットにおける少なくとも１つのビームのゲインを示す。このような少なくとも１つのビームは、ビームサブセットにおける他のビームより強い。
【０１０４】
いくつかの実施形態において、ＣＳＩレポートの第２部分は第６指示情報をさらに備え、第６指示情報は、少なくとも１つの周波数位置でのビームサブセットにおける少なくとも１つのビームのそれぞれの共位相シフトを示す。
【０１０５】
いくつかの実施形態において、ＣＳＩレポートの第１部分はさらに別の指示情報を備え、該別の指示情報は周波数範囲と対応するチャネル品質指標（ＣＱＩ）又は複数の周波数位置と対応するそれぞれのＣＱＩを示す。
【０１０６】
いくつかの実施形態において、ＣＳＩを作成することは、第１指示情報及び第２指示情報に基づき、ＣＳＩについて設定されたコードブックからコードワードを決定することを含む。
【０１０７】
いくつかの実施形態において、第２部分は第１部分が受信された後に、ネットワーク機器によって受信される。
【０１０８】
図１１は、本開示の別のいくつかの実施形態による例示的方法１１００のフローチャートを示す。方法１１００は、図１に示すネットワーク機器１１０において実現することができる。議論を目的として、図１を参照して端末機器１２０の側から方法１１００を説明する。
【０１０９】
ブロック１１１０において、ネットワーク機器１１０は端末機器から、チャネル推定により決定されたチャネル状態情報（ＣＳＩ）レポートを受信する。ＣＳＩレポートの第１部分は少なくとも指示情報を備え、該指示情報は、所定の周波数範囲内の複数の周波数位置について複数のビームから選択された少なくとも１つのビームを示す。ブロック１２２０において、ネットワーク機器１１０は第１指示情報及び第２指示情報に基づきＣＳＩを作成して、端末機器との送信を制御する。
【０１１０】
いくつかの実施形態において、該指示情報は、ＣＳＩについて設定されるコードブックにおけるコードワードを定義するためのインデックスを含む。
【０１１１】
いくつかの実施形態において、ＣＳＩレポートの第２部分はさらに、別の指示情報を含む。別の指示情報は、所定の周波数範囲にわたる選択された少なくとも１つのビームについての時間領域におけるそれぞれのゲイン、及び、所定の周波数範囲にわたって適用される選択された少なくとも１つのビームについての時間領域におけるそれぞれの共位相シフトのうち少なくとも１つを示す。第２部分は第１部分が受信された後に、ネットワーク機器によって受信される。
【０１１２】
図１２は、本開示の実施形態を実現するのに適したデバイス１２００の概略ブロック図である。デバイス１２００は、図１に示すネットワーク機器１１０又は端末機器１２０の別の例示の実施形態であるとみなすことができる。したがって、デバイス１２００は、ネットワーク機器１１０若しくは端末機器１２０の少なくとも一部として実現することができ、又はネットワーク機器１１０若しくは端末機器１２０の少なくとも一部において実現することができ、
【０１１３】
図に示すように、デバイス１２００は、プロセッサ１２１０、プロセッサ１２１０に結合されるメモリ１２２０、プロセッサ１２１０に結合される適切な送信機（ＴＸ）及び受信機（ＲＸ）１２４０、並びにＴＸ／ＲＸ１２４０に結合される通信インタフェースを含む。メモリ１２１０は、プログラム１２３０の少なくとも一部を記憶する。ＴＸ／ＲＸ１２４０は双方向通信に用いられる。ＴＸ／ＲＸ１２４０は、通信を促進する少なくとも１つのアンテナを有し、実際には本願で述べたアクセスノードは、複数のアンテナを有することができる。通信インタフェースは、他のネットワーク部材と通信を行う際に必要な任意のインタフェース、例えば、ｅＮＢ間の双方向通信用のＸ２インタフェース、Ｍｏｂｉｌｉｔｙ  Ｍａｎａｇｅｍｅｎｔ  Ｅｎｔｉｔｙ（ＭＭＥ）／サービングゲートウェイ（Ｓ−ＧＷ）とｅＮＢとの間の通信用のＳ１インタフェース、ｅＮＢと中継ノード（ＲＮ）との間の通信用のＵｎインタフェース、又はｅＮＢと端末機器との間の通信用のＵｕインタフェースを表すことができる。
【０１１４】
プログラム１２３０がプログラム指示を含むと仮定すると、これらのプログラム指示は、関連するプロセッサ１２１０により実行され、これにより、デバイス１２００は、本明細書で図２〜図４及び図９〜図１２を参照して説明した本開示の実施形態に基づき操作することができるようになる。本明細書の実施形態は、デバイス１２００のプロセッサ１２１０により実行可能なコンピュータソフトウェア、ハードウェア、又はソフトウェア及びハードウェアの組合せにより実現することができる。プロセッサ１２１０は、本開示の各実施形態を実現するように設定することができる。また、プロセッサ１２１０及びメモリ１２１０の組合せは、本開示の各実施形態を実現するのに適した処理手段１２５０を構成することができる。
【０１１５】
メモリ１２１０は、ローカルの技術ネットワークに適した任意のタイプであってよく、任意の適切なデータ記憶技術により実現することができる。例として、非一時的なコンピュータ可読記憶媒体、半導体ベースの記憶デバイス、磁気記憶デバイス及びシステム、光学記憶デバイス及びシステム、固定メモリ及び取り外し可能メモリ等が挙げられるが、これらに限定されない。デバイス１２００には１つのメモリ１２１０しか示されていないが、デバイス１２００には複数の物理上分離されるメモリモジュールを設置することができる。プロセッサ１２１０は、ローカルの技術ネットワークに適した任意のタイプであってよく、例として、汎用コンピュータ、専用コンピュータ、マイクロプロセッサ、デジタル信号処理器（ＤＳＰ）、及びマルチコアプロセッサ構成に基づくプロセッサのうち、一つ又は複数を含むことができるが、これらに限定されない。デバイス１２００は複数のプロセッサ、例えば、マスタープロセッサと同期するクロックに時間的に従属する特定用途向け集積回路チップを有することができる。
【０１１６】
通常、本開示の各実施形態は、ハードウェア若しくは専用回路、ソフトウェア、論理又はそれらの任意の組合せにより実現することができる。いくつかの態様はハードウェアによって実現し、他の態様はコントローラ、マイクロプロセッサ又は他のコンピューティングデバイスが実行するファームウェア又はソフトウェアによって実現することができる。本開示の実施形態の各態様はブロック図、フロー図として図示し説明し、又は他の図形によって示したが、理解すべき点として、本明細書に記載のブロック、装置、システム、技術又は方法は、例えば、ハードウェア、ソフトウェア、ファームウェア、専用回路若しくは論理、汎用ハードウェア若しくはコントローラ若しくは他のコンピューティングデバイス、又はそれらの組合せによって実現することができる。
【０１１７】
本開示はさらに、非一時的なコンピュータ可読記憶媒体に、有形記憶される少なくとも１つのコンピュータプログラム製品を提供する。該コンピュータプログラム製品は、コンピュータが実行可能な指示、例えば、プログラムモジュールに含まれるものを含む。該コンピュータが実行可能な指示は、対象の現実のプロセッサ又は仮想プロセッサ上のデバイスにおいて実行されて、図２〜図１１のいずれかを参考に上述したプロセス又は方法を実行することができる。通常、プログラムモジュールは、特定のタスクを実行するか、又は特定の抽象データタイプを実現するルーチン、プログラム、ライブラリ、オブジェクト、クラス、コンポーネント、データ構造等を含む。各実施形態において、プログラムモジュールの機能は、要望に応じて、プログラムモジュール間で組み合わせるか、又は分割することができる。プログラムモジュールに用いられるデバイスが実行可能な指示は、ローカルデバイス又は分散型デバイスにおいて実行することができる。分散型デバイスにおいて、プログラムモジュールはローカル及びリモートの記憶媒体に置くことができる。
【０１１８】
本開示の方法を実行するためのプログラムコードは、一種類又は複数種類のプログラミング言語の任意の組み合せにより記述することができる。これらのプログラムコードは、汎用コンピュータ、専用コンピュータ又はその他のプログラム可能なデータ処理装置のプロセッサ又はコントローラに提供可能であり、プログラムコードがプロセッサ又はコントローラによって実行されると、フロー図及び／又はブロック図に指定された機能／操作が実現される。プログラムコードは全てデバイス上で実行することができ、部分的にデバイス上で実行することができ、独立したソフトウェアパッケージとして実行することができ、デバイス上で部分的に実行するとともにリモートのデバイス上で部分的に実行することができ、又は全てリモートのデバイス若しくはサーバ上で実行することができる。
【０１１９】
以上のプログラムコードは、デバイスが読み取り可能な媒体上で体現することができ、デバイスで読み取り可能な媒体は、指示実行システム、装置若しくはデバイスに使用のために供されるプログラム、又は、それらと結合して使用されるプログラムを含むか又は記憶することができる任意の有形媒体であり得る。デバイスで読み取り可能な媒体は、デバイスで読み取り可能な信号媒体又はデバイスで読み取り可能な記憶媒体であり得る。デバイスで読み取り可能な媒体は、電子、磁気、光学、電磁気、赤外線若しくは半導体のシステム、装置又はデバイス、又は前述の任意の適切な組み合せを含むことができるが、これらに限定されない。デバイスで読み取り可能な記憶媒体のさらに具体的な例には、一つ若しくは複数のケーブルの電気的接続、ポータブル・コンピュータ・ディスケット、ハードディスク、ランダムアクセスメモリ（ＲＡＭ）、リードオンリーメモリ（ＲＯＭ）、消去・書き込み可能なリードオンリーメモリ（ＥＰＲＯＭ又はフラッシュメモリ）、光ファイバ、携帯型光ディスクリードオンリーメモリ（ＣＤ−ＲＯＭ）、光学的記憶装置、磁気記憶装置、又は上述の任意の適切な組み合せが含まれる。
【０１２０】
なお、各操作について、特定の順序で説明を行ったが、所望の結果を得るために、こうした操作は、示された特定の順序で実行するか若しくは連続した順序で実行し、又は、図示された全ての操作を実行することが求められる、と理解されるべきではない。いくつかの場面では、複数のタスク及び並行処理が有利である可能性がある。同様に、上述の説明では、いくつかの特定の実現の詳細が含まれるが、これらは本開示の範囲についての限定であると解釈されるべきではなく、特定の実施形態に特定される可能性がある特徴についての説明であると解釈されるべきである。個別の実施形態の文脈において説明したいくつかの特徴は、ある一つの実現形態において組み合わせて実現されてもよい。逆に、一つの実現形態の文脈において説明された各種特徴は、それぞれ、複数の実現形態において切り離して実現されるか、又は任意の適切なサブ的な組み合せにより実現されてもよい。
【０１２１】
本開示について、構造的特徴及び／又は方法・動作に特定される言葉で説明したが、添付の特許請求の範囲によって定義される本開示は、必ずしも上述の特定の特徴又は動作に限定されないと理解されるべきである。正確にいえば、上述した特定の特徴や動作は、請求項を実現する例示的形態として開示されたものである。
【図１】
2021535637.tif 000016
【図２】
2021535637.tif 000017
【図３】
2021535637.tif 000018
【図４】
2021535637.tif 000019
【図５】
2021535637.tif 000020
【図６】
2021535637.tif 000021
【図７】
2021535637.tif 000022
【図８】
2021535637.tif 000023
【図９】
2021535637.tif 000024
【図１０】
2021535637.tif 000025
【図１１】
2021535637.tif 000026
【図１２】
2021535637.tif 000027
【手続補正書】
【提出日】令和3年3月2日(2021.3.2)
【手続補正１】
【補正対象書類名】明細書
【補正対象項目名】０１１３
【補正方法】変更
【補正の内容】
【０１１３】
図に示すように、デバイス１２００は、プロセッサ１２１０、プロセッサ１２１０に結合されるメモリ１２２０、プロセッサ１２１０に結合される適切な送信機（ＴＸ）及び受信機（ＲＸ）１２４０、並びにＴＸ／ＲＸ１２４０に結合される通信インタフェースを含む。メモリ１２２０は、プログラム１２３０の少なくとも一部を記憶する。ＴＸ／ＲＸ１２４０は双方向通信に用いられる。ＴＸ／ＲＸ１２４０は、通信を促進する少なくとも１つのアンテナを有し、実際には本願で述べたアクセスノードは、複数のアンテナを有することができる。通信インタフェースは、他のネットワーク部材と通信を行う際に必要な任意のインタフェース、例えば、ｅＮＢ間の双方向通信用のＸ２インタフェース、Ｍｏｂｉｌｉｔｙ  Ｍａｎａｇｅｍｅｎｔ  Ｅｎｔｉｔｙ（ＭＭＥ）／サービングゲートウェイ（Ｓ−ＧＷ）とｅＮＢとの間の通信用のＳ１インタフェース、ｅＮＢと中継ノード（ＲＮ）との間の通信用のＵｎインタフェース、又はｅＮＢと端末機器との間の通信用のＵｕインタフェースを表すことができる。
【手続補正２】
【補正対象書類名】明細書
【補正対象項目名】０１１４
【補正方法】変更
【補正の内容】
【０１１４】
プログラム１２３０がプログラム指示を含むと仮定すると、これらのプログラム指示は、関連するプロセッサ１２１０により実行され、これにより、デバイス１２００は、本明細書で図２〜図４及び図９〜図１２を参照して説明した本開示の実施形態に基づき操作することができるようになる。本明細書の実施形態は、デバイス１２００のプロセッサ１２１０により実行可能なコンピュータソフトウェア、ハードウェア、又はソフトウェア及びハードウェアの組合せにより実現することができる。プロセッサ１２１０は、本開示の各実施形態を実現するように設定することができる。また、プロセッサ１２１０及びメモリ１２２０の組合せは、本開示の各実施形態を実現するのに適した処理手段１２５０を構成することができる。
【手続補正３】
【補正対象書類名】明細書
【補正対象項目名】０１１５
【補正方法】変更
【補正の内容】
【０１１５】
メモリ１２２０は、ローカルの技術ネットワークに適した任意のタイプであってよく、任意の適切なデータ記憶技術により実現することができる。例として、非一時的なコンピュータ可読記憶媒体、半導体ベースの記憶デバイス、磁気記憶デバイス及びシステム、光学記憶デバイス及びシステム、固定メモリ及び取り外し可能メモリ等が挙げられるが、これらに限定されない。デバイス１２００には１つのメモリ１２２０しか示されていないが、デバイス１２００には複数の物理上分離されるメモリモジュールを設置することができる。プロセッサ１２１０は、ローカルの技術ネットワークに適した任意のタイプであってよく、例として、汎用コンピュータ、専用コンピュータ、マイクロプロセッサ、デジタル信号処理器（ＤＳＰ）、及びマルチコアプロセッサ構成に基づくプロセッサのうち、一つ又は複数を含むことができるが、これらに限定されない。デバイス１２００は複数のプロセッサ、例えば、マスタープロセッサと同期するクロックに時間的に従属する特定用途向け集積回路チップを有することができる。
【手続補正４】
【補正対象書類名】特許請求の範囲
【補正対象項目名】全文
【補正方法】変更
【補正の内容】
【特許請求の範囲】
【請求項１】
異なる空間方向を有するビームセットについて、所定の周波数範囲にわたって端末機器とネットワーク機器との間のチャネル推定を実行することと、
前記チャネル推定に基づき、第１指示情報及び第２指示情報を決定することと、
チャネル状態情報（ＣＳＩ）レポートの第１部分における前記第１指示情報を前記ネットワーク機器に送信し、前記ＣＳＩレポートの第２部分における前記第２指示情報を前記ネットワーク機器に送信することと
を備え、
前記第１指示情報は、前記ビームセットから選択された少なくとも１つのビームを示し、前記第２指示情報は、前記所定の周波数範囲内の複数の周波数位置での前記選択された少なくとも１つのビームについての周波数関連情報を示す、端末機器で実現される方法。
【請求項２】
前記第２指示情報を決定することは、
前記所定の周波数範囲にわたって適用される、前記選択された少なくとも１つのビームと関連する時間領域における少なくとも１つの遅延値を、前記第２指示情報として決定することを備え、
選択された各ビームについての前記周波数関連情報は、前記関連する遅延値と、前記複数の周波数位置の所定のインデックスとの組合せにより示される、請求項１に記載の方法。
【請求項３】
前記複数の周波数位置は前記ネットワーク機器により設定される、請求項１に記載の方法。
【請求項４】
前記方法はさらに、
前記チャネル推定に基づき、第３指示情報及び第４指示情報を決定することと、
前記ＣＳＩレポートの前記第２部分におおける前記第３指示情報及び前記第４指示情報を前記ネットワーク機器に送信することと
を備え、
前記第３指示情報は、前記所定の周波数範囲にわたって適用される、前記選択された少なくとも１つのビームについての時間領域におけるそれぞれのゲインを示し、
前記第４指示情報は、前記所定の周波数範囲にわたって適用される、前記選択された少なくとも１つのビームについての時間領域におけるそれぞれの共位相シフトを示す、請求項１に記載の方法。
【請求項５】
前記第１指示情報は前記ビームセットから選択されたビームサブセットを示し、前記ビームサブセットは２つ以上のビームを備え、前記方法はさらに、
前記チャネル推定に基づき、第５指示情報を決定することと、
前記ＣＳＩレポートの前記第２部分における前記第５指示情報を前記ネットワーク機器に送信することと
を備え、
前記第５指示情報は、前記複数の周波数位置のサブセットでの前記ビームサブセットにおける少なくとも１つのビームのゲインを示し、前記少なくとも１つのビームは、前記ビームサブセットにおける他のビームより強い、請求項１に記載の方法。
【請求項６】
前記方法はさらに、
前記チャネル推定に基づき、第６指示情報を決定することと、
前記ＣＳＩレポートの前記第２部分における前記第６指示情報を前記ネットワーク機器に送信することと
を備え、
前記第６指示情報は、前記少なくとも１つの周波数位置での前記ビームサブセットにおける前記少なくとも１つのビームのそれぞれの共位相シフトを示す、請求項５に記載の方法。
【請求項７】
前記ＣＳＩレポートの前記第１部分はさらに別の指示情報を備え、
前記別の指示情報は、前記周波数範囲と対応するチャネル品質指標（ＣＱＩ）、又は前記複数の周波数位置と対応するそれぞれのＣＱＩを示す、請求項１に記載の方法。
【請求項８】
前記送信は、前記少なくとも１つの遅延値の各遅延値について、
前記遅延値の大きさに基づき、前記遅延値の量子化のためのビットの第１の数を決定することと、
前記遅延値を前記第１の数のビットに量子化することと、
前記第１の数のビットを前記ネットワーク機器に送信することと
を備え、
前記第１の数は、より小さい大きさを有する別の遅延値について決定されたビットの数より大きい、請求項２に記載の方法。
【請求項９】
前記送信は、前記少なくとも１つのビームの各ビームについて、
前記選択された少なくとも１つのビームのゲインに基づき、前記遅延値の量子化のためのビットの第２の数を決定することと、
前記遅延値を前記第２の数のビットに量子化することと、
前記第２の数のビットを前記ネットワーク機器に送信することと
を備え、
前記第２の数は、より高いゲインを有する別のビームと対応する別の遅延値について決定されたビットの数より大きい、請求項２に記載の方法。
【請求項１０】
ビットの前記第２の数を決定することは、
前記遅延値を１つの循環シフト値でシフトさせて前記遅延値を修正することにより、前記遅延値の循環シフトバージョンを取得することと、
前記遅延値の前記循環シフトバージョンの前記ゲインに基づき、ビットの前記第２の数を決定することと
を備え、
前記遅延値を量子化することは、前記遅延値の前記循環シフトバージョンを量子化することを備える、請求項９に記載の方法。
【請求項１１】
前記所定の周波数範囲はシステム帯域幅を有する、請求項１に記載の方法。
【請求項１２】
前記第１部分が送信された後に、前記第２部分は前記ネットワーク機器に送信される、請求項１に記載の方法。
【請求項１３】
異なる空間方向を有するビームセットについて、所定の周波数範囲にわたって端末機器とネットワーク機器との間のチャネル推定を実行することと、
前記チャネル推定に基づき指示情報を決定することと、
チャネル状態情報（ＣＳＩ）レポートの第１部分における前記指示情報を前記ネットワーク機器に送信することと
を備え、
前記指示情報は、前記所定の周波数範囲内の複数の周波数位置について、複数のビームの中から選択された少なくとも１つのビームを示す、端末機器で実現される方法。
【請求項１４】
前記指示情報は、前記ＣＳＩについて設定されるコードブックにおけるコードワードを定義するためのインデックスを備える、請求項１３に記載の方法。
【請求項１５】
前記方法はさらに、
前記チャネル推定に基づき、別の指示情報を決定することと、
前記ＣＳＩレポートの第２部分における前記指示情報を前記ネットワーク機器に送信することと
を備え、
前記別の指示情報は、前記所定の周波数範囲にわたって適用される前記選択された少なくとも１つのビームについての時間領域におけるそれぞれのゲイン、及び、前記所定の周波数範囲にわたって適用される前記選択された少なくとも１つのビームについての時間領域におけるそれぞれの共位相シフトのうちの少なくとも１つを示し、
前記第１部分が送信された後に、前記第２部分は前記ネットワーク機器に送信される、請求項１３に記載の方法。
【請求項１６】
端末機器から、チャネル推定により決定されたチャネル状態情報（ＣＳＩ）レポートを受信することと、
第１指示情報及び第２指示情報に基づきＣＳＩを作成して、前記端末機器との送信を制御することと
を備え、
前記ＣＳＩレポートの第１部分は、ビームセットのうちの少なくとも１つのビームを示す前記第１指示情報を少なくとも備え、
前記ＣＳＩレポートの第２部分は、前記第２指示情報を少なくとも備え、前記第２指示情報は、所定の周波数範囲内の、選択された前記少なくとも１つのビームについての複数の周波数位置を示す、ネットワーク機器で実現される方法。
【請求項１７】
前記第２指示情報は、時間領域における少なくとも１つの遅延値を前記第２指示情報として備え、
前記少なくとも１つの遅延値は、前記所定の周波数範囲にわたって適用され、且つ前記選択された少なくとも１つのビームと関連し、
前記ＣＳＩを作成することは、
前記関連する遅延値と、前記複数の周波数位置の所定のインデックスとの組合せにより、選択された各ビームについての前記周波数関連情報を決定することを備える、請求項１６に記載の方法。
【請求項１８】
前記ＣＳＩレポートの前記第２部分は、第３指示情報及び第４指示情報を備え、
前記第３指示情報は、前記所定の周波数範囲にわたって適用される、前記選択された少なくとも１つのビームについての時間領域におけるそれぞれのゲインを示し、
前記第４指示情報は、前記所定の周波数範囲にわたって適用される、前記選択された少なくとも１つのビームについての時間領域におけるそれぞれの共位相シフトを示し、前記方法はさらに、
前記第２指示情報、前記第３指示情報及び前記第４指示情報について重み付けを行うことにより、前記複数の周波数位置での前記選択された少なくとも１つのビームについてのそれぞれのゲインを決定することを備える、請求項１６に記載の方法。
【請求項１９】
前記第１指示情報は前記ビームセットから選択されたビームサブセットを示し、前記ビームサブセットは２つ以上のビームを備え、前記ＣＳＩレポートの前記第２部分は第５指示情報をさらに備え、前記第５指示情報は、前記複数の周波数位置のサブセットでの前記ビームサブセットにおける少なくとも１つのビームのゲインを示し、前記少なくとも１つのビームは、前記ビームサブセットにおける他のビームより強く、
前記ＣＳＩレポートの前記第２部分は第６指示情報をさらに備え、
前記第６指示情報は、前記少なくとも１つの周波数位置での前記ビームサブセットにおける前記少なくとも１つのビームのそれぞれの共位相シフトを示し、
前記ＣＳＩレポートの前記第１部分はさらに別の指示情報を備え、
前記別の指示情報は、前記周波数範囲と対応するチャネル品質指標（ＣＱＩ）、又は前記複数の周波数位置と対応するそれぞれのＣＱＩを示す、請求項１６に記載の方法。
【請求項２０】
端末機器から、チャネル推定により決定されたチャネル状態情報（ＣＳＩ）レポートを受信することと、
指示情報に基づきＣＳＩを作成して、前記端末機器との送信を制御することと
を備え、
前記ＣＳＩレポートの第１部分は少なくとも指示情報を備え、前記指示情報は、所定の周波数範囲内の複数の周波数位置について複数のビームから選択された少なくとも１つのビームを示す、ネットワーク機器で実現される方法。
【国際調査報告】
2021535637.tif 000028
2021535637.tif 000029